(57)【要約】   【課題】建築物の軒樋に落下した落葉等が集水器に集積せず雨水が集水器から溢れることがない集水器廻りの落葉止め具を提供することを目的とする。  【解決手段】   軒樋１２は前壁１２ａと後壁１２ｂと底壁１２ｃから成る断面凹形状で、第一落葉止め具１５は軒樋１２の断面凹形状に沿って形成され帯状枠部１６に第一落葉止め面１７を備える。第一落葉止め面１７の上面材１６ｄの中央部に突起３３としてのネジ棒が垂設される。第一落葉止め面１７を軒樋１２に挿入した状態で、一対の第一落葉止め具１５と集水器１３を上方から覆う第二落葉止め具３０を備える。第二落葉止め具３０は矩形枠部３１と第二落葉止め面３２から成り、第二落葉止め面３２は角棒３２ａで格子状に形成される。第一落葉止め具１５の帯状枠部１６に形成された突起３３によって第二落葉止め面３２が横滑りしないように係止される。【選択図】  図１
2010031512.tif 000002
【特許請求の範囲】
【請求項１】
軒樋に取付けられる集水器廻りの落葉止め具であって、前記軒樋は前壁と後壁と底壁から成る断面凹形状で、第一落葉止め具は前記軒樋の断面凹形状に沿って形成される帯状枠部に第一落葉止め面を備え前記集水器から隔てて取付けられ、前記集水器と前記第一落葉止め具の間を上方から覆う第二落葉止め具を備えることを特徴とする集水器廻りの落葉止め具。
【請求項２】
請求項１に記載の集水器廻りの落葉止め具であって、前記第二落葉止め具は格子状に形成される第二落葉止め面を備えることを特徴とする集水器廻りの落葉止め具。
【請求項３】
請求項１又は請求項２に記載の集水器廻りの落葉止め具であって、前記第一落葉止め具は前記集水器を挟んで一対取付けられ、それぞれの前記第一落葉止め具に前記第二落葉止め具を固定する突起を設けることを特徴とする集水器廻りの落葉止め具。
【発明の詳細な説明】
【技術分野】
【０００１】
本発明は、建物の軒樋から雨水を排水する技術に関し、特に、軒樋に連結する集水器に落葉を溜まり難くする集水器廻りの落葉止め具に関する。
【背景技術】
【０００２】
従来、建物の軒樋から集水器を用いて雨水を排水する場合に、集水器に落葉が溜まって排水が困難に成るという問題があった。この問題を防ぐための集水器廻りの落葉止め具の構造として特許文献１の方法が知られている。
【０００３】
特許文献１によれば、図５に示すように、落葉止め具１は水平クリップ１１２および垂直クリップ１１３によって集水器３に着脱自在に弾性係止され、軒樋４の底部に向かって垂下するくし歯状の捕集部１１４で集水器３がゴミや落ち葉等によって詰まることを防ぐ。さらに、垂直クリップ１１３の内側の係止片１３１は外側の係止片１３２よりも長くされているため集水器３の部材である切片１３３を挟持して落葉止め具１が簡単に外れることなくしっかりと集水器３に取付けることができる。
【特許文献１】特開２００７−１３８６１１号公報
【発明の開示】
【発明が解決しようとする課題】
【０００４】
ところが、軒樋４に落下した落葉等が落葉止め具１から溢れて集水器３内に集積した場合に、集水器３が詰まるため雨水が集水器３から溢れるという問題があった。
【０００５】
そこで、本発明はかかる従来技術の問題に鑑みなされたものであり、軒樋に落下した落葉等が集水器に集積して雨水が集水器から溢れることがない集水器廻りの落葉止め具を提供することを目的とする。
【課題を解決するための手段】
【０００６】
請求項１の発明は、軒樋に取付けられる集水器廻りの落葉止め具であって、前記軒樋は前壁と後壁と底壁から成る断面凹形状で、第一落葉止め具は前記軒樋の断面凹形状に沿って形成される帯状枠部に第一落葉止め面を備え前記集水器から隔てて取付けられ、前記集水器と前記第一落葉止め具の間を上方から覆う第二落葉止め具を備えることを特徴としている。
【０００７】
請求項２の発明は、請求項１に記載の集水器廻りの落葉止め具であって、前記第二落葉止め具は格子状に形成される第二落葉止め面を備えることを特徴としている。
【０００８】
請求項３の発明は、請求項１又は請求項２に記載の集水器廻りの落葉止め具であって、前記第一落葉止め具は前記集水器を挟んで一対取付けられ、それぞれの前記第一落葉止め具に前記第二落葉止め具を固定する突起を設けることを特徴としている。
【発明の効果】
【０００９】
請求項１の発明によれば、前記軒樋は前壁と後壁と底壁から成る断面凹形状で、第一落葉止め具は前記軒樋の断面凹形状に沿って形成される帯状枠部に第一落葉止め面を備え前記集水器から隔てて取付けられ、前記集水器と前記第一落葉止め具の間を上方から覆う第二落葉止め具を備える。このため、前記集水器と前記第一落葉止め具の間を第二落葉止め具で上方から覆うので、軒樋に落下した落葉等が第一落葉止め具に集積した状態から前記集水器へ溢れることがない。また、前記集水器と前記第一落葉止め具の間に落下する落葉等は第二落葉止め具によって軒樋への落下を防止できるので落葉等が集水器に集積して詰まることが無い。このため、落葉等が集水器に集積して詰まることが無いので集水器から雨水が溢れることが防止できる。
【００１０】
請求項２の発明によれば、請求項１に記載の集水器廻りの落葉止め具であって、前記第二落葉止め具は格子状に形成される第二落葉止め面を備えるので、雨水は流れるが前記第二落葉止め面によって落葉等が確実に止められるので集水器に落葉等が堆積することがないので請求項１の効果と同様の効果が得られる。
【００１１】
請求項３の発明によれば、請求項１又は請求項２に記載の集水器廻りの落葉止め具であって、前記第一落葉止め具は前記集水器を挟んで一対取付けられ、前記第一落葉止め具に前記第二落葉止め具を固定する突起を設けるので、この突起によって前記第二落葉止め具が前記第一落葉止め具に係止されて安定して軒樋に定置される。このため、請求項１の効果と同様の効果が得られる。
【発明を実施するための最良の形態】
【００１２】
＜落葉止め具の構成＞  
以下に、本発明の第一の実施形態を図１〜図３に基づいて説明する。
【００１３】
図１、図２、図３に示すように、図示しない建物の屋根からの雨水Ｐを排水するため、軒先１１には軒樋１２と軒樋１２に連結して集水器１３が装備される。軒樋１２を介して集水器１３に流れた雨水Ｐは集水器に連結する竪樋１４によって図示しない地上の排水溝まで導かれる。
【００１４】
ここで、集水器１３内に落葉Ｑやゴミ等が流入して集積し雨水Ｐが集水器１３の上端部１３ａから外側に溢れ出ることを防ぐために軒樋１２には一対の第一落葉止め具１５が集水器１３から左右方向に長さＬ隔てた位置Ｙにそれぞれ設けられる。
【００１５】
軒樋１２は前壁１２ａと後壁１２ｂと底壁１２ｃから成る断面凹形状で、前壁１２ａと後壁１２ｂは底壁１２ｃから外側に傾斜するように形成され、前壁１２ａと後壁１２ｂの頂端部に前耳１２ｄと後耳１２ｅが軒樋１２の内側に突出して設けられる。
【００１６】
第一落葉止め具１５は軒樋１２の断面凹形状に沿って内嵌合するように形成される幅Ｔ１の帯状枠部１６に第一落葉止め面１７を備える。より詳しくは、帯状枠部１６の前面１６ａと後面１６ｂと底面１６ｃの外寸法は、軒樋１２の前壁１２ａと後壁１２ｂと底壁１２ｃの内寸法に等しく形成されるので、帯状枠部１６は軒樋１２に隙間なく内接することができる。
【００１７】
帯状枠部１６の中央部に第一落葉止め面１７を挟持するために一対のガイド突起１８を前面１６ａと後面１６ｂに形成する。ガイド突起１８は矩形断面の長尺材である。この一対のガイド突起１８にガイドされて挿入される第一落葉止め面１７は台形状で角棒１７ａを用いて網目の格子状に形成され、落葉止め面１７の外周に補強用の枠材Ｗを備える。
【００１８】
第一落葉止め面１７の上方から上面材１６ｄを被せて前面１６ａと後面１６ｂに固着する。上面材１６ｄの中央部に突起３３としてのネジ棒が垂設され蝶ナットを備える。
【００１９】
第一落葉止め面１７を軒樋１２に挿入した状態で、一対の第一落葉止め具１５の間を集水器１３を囲んで上方から覆う第二落葉止め具３０を備える。第二落葉止め具３０は軒樋１２にできるだけ近接して取付けるのが好ましい。第二落葉止め具３０は長さＬ１、幅Ｂの細長い矩形枠部３１と第二落葉止め面３２から成り、第二落葉止め面３２は角棒３２ａで網目の格子状に形成される。第二落葉止め具３０の先端部３０ａは第一落葉止め具１５の位置Ｙより長さＬ２突出して第一落葉止め具１５を覆う状態で形成される。
【００２０】
帯状枠部１６を軒樋１２に挿入すると前面１６ａと後面１６ｂの上端部１６ｅ、１６ｆがそれぞれ前耳１２ｄと後耳１２ｅに係止される。一対の第一落葉止め具１５を軒樋１２内でスライドして位置合わせて第二落葉止め具３０を一対の第一落葉止め具１５に被せると、第一落葉止め具１５の帯状枠部１６に形成された突起３３によって第二落葉止め面３２が横滑りして脱落しないように係止できる。第二落葉止め面３２は第二落葉止め面３２の網目より大きいワッシャー等を介して蝶ナットによって突起３３に確実に固定することが好ましい。
【００２１】
なお、帯状枠部１６を軒樋１２に挿入した状態で軒樋１２の前壁１２ａが帯状枠部１６における前面１６ａの上端部１６ｅより高い場合には、前面１６ａを前耳１２ｄに係止できるように前面１６ａは上面材１６ｄより高く延設される。帯状枠部１６は一対の軒樋１２を接続する際に使用する既製品の内継手部材を使用することができる。帯状枠部１６は必要に応じて接着剤等を用いて軒樋１２に固定される。
【００２２】
軒樋１２はアクリル系樹脂や硬質塩化ビニール樹脂等の合成樹脂又はステンレス材等が用いられ、落葉止め具１５の帯状枠部１６及び上面材１６ｄと第二落葉止め具３０の矩形枠部３１は亜鉛メッキ鋼材又はステンレス材、第一落葉止め面１７と第二落葉止め面３２は亜鉛メッキ鋼材又はステンレス材或いは合成樹脂等が用いられる。
＜落葉止め具の作用＞
【００２３】
落葉止め具１５が集水器１３から長さＬの隙間を隔てて設けられ、第二落葉止め具３０は軒樋１２にできるだけ近接して取付けられる。このため、軒樋１２に落下した落葉Ｑ等が雨水Ｐに流されて落葉止め具１５に集積した状態で、落葉Ｑ等は溢れることがないが仮に落葉Ｑ等が溢れたとしても集水器１３まで距離があるので忽ち集水器１３が詰って雨水Ｐが集水器１３から溢れるということが防止できる。さらに、一対の第一落葉止め具１５と集水器１３を一体的に覆って第二落葉止め具３０が形成されるので、落葉止め具１５と集水器１３の間に落葉Ｑ等が落ちてきても軒樋１２に落下しないので集水器１３が詰ることがない。このため、軒樋１２の落葉Ｑ清掃をする時間的余裕が確保できるのでメンテナンス性が向上する。
【００２４】
帯状枠部１６は一対の軒樋１２を接続する際に使用する既製品の内継手部材を使用することができるのでさらにコスト低減できる。第二落葉止め具３０の先端部３０ａは第一落葉止め具１５の位置Ｙより長さＬ２突出して第一落葉止め具１５を覆う状態で形成するので落葉Ｑ等の集水器１３への溢れをさらに確実に防止できる。
＜本発明の第二の実施形態＞
【００２５】
本発明の第二の実施形態の落葉止め具を、図４を用いて説明するが、図３に示す落葉止め具の構成と同構成部分については、図面に同符号を付して重複した説明を省略する。
【００２６】
図４に示すように、第一落葉止め具１５の帯状枠部１６は上面材１６ｄを備えないので、一対のガイド突起１８にガイドされる第一落葉止め面１７はスライド脱着できる。前面１６ａと後面１６ｂの上端部１６ｅ、１６ｆにそれぞれ突起３３としてのネジ棒が蝶ナットを備えて垂設されるが、突起３３は第一落葉止め面１７のスライド脱着を邪魔しない位置に形成される。
【００２７】
一対の第一落葉止め具１５に形成される合計４組の突起３３によって第二落葉止め面３２が横滑りして脱落しないように確実に係止できる。なお、第二落葉止め面３２は第二落葉止め面３２の格子の隙間より大きいワッシャー等を介して蝶ナットによって突起３３に確実に固定することが好ましい。帯状枠部１６は状況によって軒樋１２に固着してもよい。
【００２８】
以上、本発明の実施例を図面に基づいて説明したが、具体的な構成はこの実施例に限られるものではなく本発明の要旨を逸脱しない範囲の設計変更等があっても本発明に含まれる。
【００２９】
たとえば、突起３３を集水器１３に追加してもよく、この場合第二落葉止め具３０の中央近くでも突起３３で係止されるので第二落葉止め面３２をさらに安定して係止できる。第二落葉止め具３０と一組の第一落葉止め具１５による構成でもよい。落葉止め面１７の高さは場合により帯状枠部１６の高さより低く形成しても構わない。
【００３０】
一対の軒樋１２が接続される接続部が集水器１３の近くにある場合には、一対の軒樋１２の端部を内嵌して連結するための内継手部材そのものが落葉止め具１５の帯状枠部１６として使用できる。落葉止め面１７の格子状を丸棒で形成しても良い、格子状は網目で螺旋形等にしてデザイン性を付加しても良く、スリット状でもよい。落葉止め面１７面の格子形状は全域に形成しなくても良い。落葉止め面１７の一辺に枠材Ｗを備えず角棒１７ａの先端が剥き出した状態で櫛のような格子状に形成でもよい。ガイド突起１８は連続ではなく断続的に設けてもよい。
【図面の簡単な説明】
【００３１】
【図１】本発明の第一の実施形態における、軒先に軒樋１２と集水器１３が装備され、集水器１３から隔てた位置に一対の第一落葉止め具１５が設けられ、第二落葉止め具３０を上方に設けた状態を示す側面図である。
【図２】本発明の第一の実施形態における、図１の平面図である。
【図３】本発明の第一の実施形態における、図１のＡ−Ａ断面の分解斜視図である。
【図４】本発明の第二の実施形態における、軒樋１２に落葉止め具１５を装着した状態を示す斜視図である。
【図５】従来例における、落葉止め具１が集水器３に着脱自在に係止される状態を示す斜視図である。
【符号の説明】
【００３２】
１２  軒樋
１２ａ  前壁
１２ｂ  後壁
１２ｃ  底壁
１３  集水器
１５  第一落葉止め具
１６  帯状枠部
１６ｄ  上面材
１７  第一落葉止め面
３０  第二落葉止め具
３１  矩形枠部
３２  第二落葉止め面
３２ａ  角棒
３３  突起
【図１】
2010031512.tif 000003
【図２】
2010031512.tif 000004
【図３】
2010031512.tif 000005
【図４】
2010031512.tif 000006
【図５】
2010031512.tif 000007